(57)【要約】【課題】２面の金型載置面の背面側において回転体の外周面近傍部を覆う部分円筒状の金属板製のカバー部材を設けた金型反転装置を提供する。【解決手段】基台構造(10)と、２面の金型載置面(21a,21b) を有し且つ基台構造(10)上に回転自在に支持された回転体(20)と、この回転体(20)を回転駆動可能な回転駆動手段(30)とを有し、金型(M) を９０°反転可能な金型反転装置(1) において、２面の金型載置面(21a,21b) の背面側において回転体(20)の外周面近傍部を覆う部分円筒状のカバー部材(40)を設けた。カバー部材(40)は、スリット(40s) で第１，第２カバー部材(40a,40b) に分断され、第１カバー部材(40a) は回転板(24)と２つのカバー取付板(41,42) に固定され、第２カバー部材(40b) は回転板(25)と１つのカバー取付板(43)に固定された。【選択図】図１
2019043703.tif 000002
【特許請求の範囲】
【請求項１】
基台構造と、開角が約９０°の２面の金型載置面を有し且つ基台構造上に回転自在に支持された回転体と、この回転体を回転駆動可能な回転駆動手段とを有し、一方の金型載置面に載置した金型を他方の金型載置面上に９０°反転可能な金型反転装置において、
前記２面の金型載置面の背面側において前記回転体の外周面近傍部を覆う部分円筒状のカバー部材を設けたことを特徴とする金型反転装置。
【請求項２】
前記基台構造は、前記回転体の回転軸心方向の両端部を回転自在に支持する円弧形の１対の回転体支持部を備え、
前記回転体は、前記回転体支持部上に支持される円弧状の被支持部を夫々有する１対の回転板を備えたことを特徴とする請求項１に記載の金型反転装置。
【請求項３】
前記回転駆動手段は、前記１対の回転板の間に配設されて前記回転体に連結され且つ円弧状の外周部に所定小間隔おきに付設された複数のピンを有するラック形成体と、一部の複数のピンに係合したスプロケットと、このスプロケットを回転駆動可能な回転駆動部とを有することを特徴とする請求項２に記載の金型反転装置。
【請求項４】
前記回転駆動手段は、前記１対の回転板の間に配設されて前記回転体に連結され且つ円弧状の外周部に所定小間隔おきに付設された複数のピンを有する１対のラック形成体と、１対のラック形成体の一部の複数のピンに夫々係合した１対のスプロケットと、これら１対のスプロケットを回転駆動可能な回転駆動部とを有することを特徴とする請求項２に記載の金型反転装置。
【請求項５】
前記カバー部材には、前記ラック形成体に対応する円弧状スリットが形成されていることを特徴とする請求項３又は４に記載の金型反転装置。
【請求項６】
前記カバー部材は、前記スリットで分断された第１，第２カバー部材で構成され、
回転軸心方向に長い方の第１カバー部材の一端部は回転板に固定されると共に他端部は第１カバー取付板を介して回転体に固定され、前記第１カバー部材の回転軸心方向途中部は第２カバー取付板を介して回転体に固定され、
第２カバー部材の一端部は回転板に固定される共に他端部は第３カバー取付板を介して回転体に固定されていることを特徴とする請求項３に記載の金型反転装置。
【請求項７】
前記カバー部材は、前後のスリットで分断された第１〜第３カバー部材で構成され、
前記第１カバー部材の一端は回転板に固定されると共に他端部は第１カバー取付板を介して回転体に固定され、
前記２カバー部材の一端は第２カバー取付板を介して回転体に固定されると共に他端は第３カバー取付板を介して回転体に固定され、
前記第３カバー部材の一端は回転板に固定されると共に他端部は第４カバー取付板を介して回転体に固定されていることを特徴とする請求項４に記載の金型反転装置。
【発明の詳細な説明】
【技術分野】
【０００１】
本発明は、２面の金型載置面を有する回転体に載置した金型を９０°反転可能な金型反転装置に関し、特に回転体の外周面近傍部を覆うカバー部材を設けたものに関する。
【背景技術】
【０００２】
通常、金型を補修する際には、金型を９０°又は１８０°反転することが必要である。  特許文献１には、基台構造と、開角９０°の２面の金型載置面を有し且つ基台構造上に回転自在に支持された回転体と、この回転体を回転駆動可能な回転駆動手段とを有し、一方の金型載置面に載置した金型を他方の金型載置面上に９０°反転可能な金型反転装置が開示されている。
【０００３】
この金型反転装置では、回転体の両端部に１対の回転板を有し、この１対の回転板の円弧状の転動面が基台構造の複数の遊転ローラで支持されている。
上記の１対の回転板は複数のタイロッド等の連結部材で連結され、これら１対の回転板の間には、回転体を回転駆動する回転駆動機構の一部が配設されている。
回転体の部分円筒状の外周面のうちの約１／２が外界に露出しているため、作業者が回転板や連結部材や回転駆動機構に接近したり、接触したりする虞がある。
【０００４】
そこで、本願出願人は、図１１に示すように、金型反転装置１００の基台構造１０１に回転自在に支持された回転体１０２に開角約９０°の２面の金型載置面１０３ａ，１０３ｂを形成し、基台構造１０１の両端部にスクリーン巻き取り装置１０４を夫々設け、このスクリーン巻き取り装置１０４から引き出したスクリーン１０５の上端部を回転体１０２の端部に連結し、回転体１０２の周面のうち外界に露出する部分を常時スクリーン１０５で覆うようにした金型反転装置を実用化した。
【０００５】
また、本願出願人は、特許文献２に示すように、金型反転装置の基台構造の両端部に、回転板の周面のうち外界へ露出する部分の少なくとも下半部を遮蔽可能な昇降可能な１対のシャッター機構を装備した金型反転装置も提案した。
【先行技術文献】
【特許文献】
【０００６】
【特許文献１】実用新案登録第３００１２５１号公報
【特許文献２】実用新案登録第３２０７６０２号公報
【発明の概要】
【発明が解決しようとする課題】
【０００７】
図１１に示す金型反転装置では、布製のスクリーンが剛性に乏しく撓み易いため、スクリーンが転動面と遊転ローラの間に噛み込まれたり、スクリーンが破れたり、汚れたりするという問題がある。
【０００８】
特許文献２のシャッター機構は、昇降手段等も含めて構造が複雑化し製作費が高価になり、かなりの設置スペースも必要であるため実用性に欠けるという問題がある。
【０００９】
本考案の目的は、２面の金型載置面の背面側において回転体の外周面近傍部を覆う部分円筒状の金属板製のカバー部材を設けた金型反転装置を提供することである。
【課題を解決するための手段】
【００１０】
請求項１の金型反転装置は、基台構造と、開角が約９０°の２面の金型載置面を有し且つ基台構造上に回転自在に支持された回転体と、この回転体を回転駆動可能な回転駆動手段とを有し、一方の金型載置面に載置した金型を他方の金型載置面上に９０°反転可能な金型反転装置において、前記２面の金型載置面の背面側において前記回転体の外周面近傍部を覆う部分円筒状のカバー部材を設けたことを特徴としている。
【００１１】
上記の構成によれば、２面の金型載置面の背面側において前記回転体の外周面近傍部を覆う部分円筒状のカバー部材を設けたので、作業者が回転体又はその付属物に接触して怪我をする虞がなくなり、金型反転装置の安全性が格段に向上する。しかも、部分円筒状のカバー部材は構造も簡単で安価に製作できるうえ、設置スペースも殆ど必要としない。
【００１２】
請求項２の金型反転装置は、請求項１の発明において、前記基台構造は、前記回転体の回転軸心方向の両端部を回転自在に支持する円弧形の１対の回転体支持部を備え、前記回転体は、前記回転体支持部上に支持される円弧状の被支持部を夫々有する１対の回転板を備えたことを特徴としている。
上記の構成によれば、基台構造の１対の回転体支持部に回転体の１対の円弧状の被支持部を回転自在に載置支持することができる。
【００１３】
請求項３の金型反転装置は、請求項２の発明において、前記回転駆動手段は、前記１対の回転板の間に配設されて前記回転体に連結され且つ円弧状の外周部に所定小間隔おきに付設された複数のピンを有するラック形成体と、一部の複数のピンに係合したスプロケットと、このスプロケットを回転駆動可能な回転駆動部とを有することを特徴としている。  上記の構成によれば、回転駆動部でスプロケットを回転駆動し、そのスプロケットで複数のピンを駆動することによりラック形成体及び回転体を回転駆動することができる。
【００１４】
請求項４の金型反転装置は、請求項２の発明において、前記回転駆動手段は、前記１対の回転板の間に配設されて前記回転体に連結され且つ円弧状の外周部に所定小間隔おきに付設された複数のピンを有する１対のラック形成体と、１対のラック形成体の一部の複数のピンに夫々係合した１対のスプロケットと、これら１対のスプロケットを回転駆動可能な回転駆動部とを有することを特徴としている。
上記の構成によれば、回転駆動部で１対のスプロケットを介して１対のラック形成体の複数のピンを駆動することにより１対のラック形成体及び回転体を回転駆動することができる。
【００１５】
請求項５の金型反転装置は、請求項３又は４の発明において、前記カバー部材には、前記ラック形成体に対応する円弧状スリットが形成されていることを特徴としている。
上記の構成によれば、回転体が回転するとき円弧状スリットを介してスプロケットとラック形成体との係合を維持することができる。
【００１６】
請求項６の金型反転装置は、請求項３の発明において、前記カバー部材は、前記スリットで分断された第１，第２カバー部材で構成され、回転軸心方向に長い方の第１カバー部材の一端部は回転板に固定されると共に他端部は第１カバー取付板を介して回転体に固定され、前記第１カバー部材の回転軸心方向途中部は第２カバー取付板を介して回転体に固定され、第２カバー部材の一端部は回転板に固定される共に他端部は第３カバー取付板を介して回転体に固定されていることを特徴としている。
【００１７】
上記の構成によれば、第１カバー部材は回転板と第１，第２カバー取付板とに固定することで形状を保持することができ、第２カバー部材は回転板と第３カバー取付板とに固定することで形状を保持することができる。
【００１８】
請求項７の金型反転装置は、請求項４の発明において、前記カバー部材は、前後のスリットで分断された第１〜第３カバー部材で構成され、前記第１カバー部材の一端は回転板に固定されると共に他端部は第１カバー取付板を介して回転体に固定され、前記２カバー部材の一端は第２カバー取付板を介して回転体に固定されると共に他端は第３カバー取付板を介して回転体に固定され、前記第３カバー部材の一端は回転板に固定されると共に他端部は第４カバー取付板を介して回転体に固定されていることを特徴としている。
【００１９】
上記の構成によれば、第１カバー部材は回転板と第１カバー取付板に固定することで形状を保持することができ、第２カバー部材は第２，第３カバー取付板に固定することで形状を保持することができ、第３カバー部材は回転板と第４カバー取付板に固定することで形状を保持することができる。
【発明の効果】
【００２０】
本願の発明によれば、前記のような種々の効果がえられる。
【図面の簡単な説明】
【００２１】
【図１】本発明の実施例１に係る金型反転装置の斜視図である。
【図２】金型反転装置の正面図である。
【図３】金型反転装置の左側面図である。
【図４】金型反転装置の平面図である。
【図５】図３のＶ−Ｖ線断面図である。
【図６】図２のＶＩ−ＶＩ線断面図である。
【図７】実施例２に係る金型反転装置の斜視図である。
【図８】図７の金型反転装置の正面図である。
【図９】図７の金型反転装置の左側面図である。
【図１０】図８のＸ−Ｘ線断面図である。
【図１１】従来技術に係る金型反転装置の斜視図である。
【発明を実施するための形態】
【００２２】
本発明を実施するための形態について実施例に基づいて説明する。
【実施例１】
【００２３】
実施例１に係る金型反転装置について図１〜図６に基づいて説明する。
金型反転装置１は、基台構造１０と、この基台構造１０上に回転自在に支持された回転体２０と、この回転体２０を前後方向向きの水平な回転軸心Ｘ回りに回転駆動可能な回転駆動手段３０と、回転体２０の外周面近傍部を覆う部分円筒状のカバー部材４０等を備えている。この金型反転装置１は、回転体２０の一方の金型載置面２１ａ又は２１ｂに載置した金型Ｍを他方の金型載置面２１ｂ又は２１ａ上に９０°反転可能である。尚、図１において、説明の都合上、符号Ｌが左方、符号Ｒが右方、符号Ｆが前方を示すものとする。
【００２４】
最初に、基台構造１０について説明する。
基台構造１０は、底面板１１と、前後に間隔を空けて対向配置した１対の前面板１２と、前後に間隔を空けて対向配置した１対の後面板１３と、左側面板１４と、右側面板１５等を有し、所定の前後幅を有する左右方向に細長い直方体状に構成されている。前面板１２と後面板１３の左右方向中央部分の上部にはＤ形切欠き部１６が夫々形成され、基台構造１０の左右方向の中央部分には回転体２０を搭載する回転体支持部１８が設けられている。
【００２５】
図５に示すように、基台構造１０の左右方向中央部には前面板１２と後面板１３を連結する断面コ字形の１対の連結部材７が設けられている。基台構造１０の左端部分には左端箱状部１７ａが形成され、右端部分には右端箱状部１７ｂが形成されている。尚、左端箱状部１７ａと右端箱状部１７ｂの下部には夫々赤色回転灯９が設けられている。
【００２６】
１対の前面板１２の間にはＤ形切欠き部１６に沿う円弧形の回転体支持部１８が形成され、その回転体支持部１８は周方向適当間隔おきに配置され且つ１対の前面板１２に枢支された複数の遊転ローラ１８ａで構成されている。１対の後面板１３の間にはＤ形切欠き部１６に沿う円弧形の回転体支持部１８が形成され、その回転体支持部１８は周方向適当間隔おきに配置され且つ１対の後面板１３に枢支された複数の遊転ローラ１８ａで構成されている。尚、前側の遊転ローラ１８ａは回転軸心Ｘと平行な支軸１８ｂで１対の前面板１２に支持され、後側の遊転ローラ１８ａは回転軸心Ｘと平行な支軸１８ｂで１対の後面板１３に支持されている。尚、前面板１２と後面板１３の外面には外側へ突出する１対の吊持用金具１９が固定されている。
【００２７】
次に、回転体２０について説明する。
回転体２０は、開角が約９０°の２面の金型載置面２１ａ，２１ｂを有し且つ基台構造１０の前後の回転体支持部１８の上に回転自在に支持されている。回転体２０は、前後１対の回転体支持部１８で回転自在に支持される円弧状の被支持部２２を夫々備えた前後１対の回転板２４，２５と、１対の回転板２４，２５に接合された正面視Ｌ形のＬ形板２６とを備えている。Ｌ形板２６の表面に２面の金型載置面２１ａ，２１ｂが形成されている。Ｌ形板２６の裏面には、金型載置面２１ａ，２１ｂを夫々補強する２対のチャンネル材２６ａ，２６ｂが接合され、これらチャンネル材２６ａ，２６ｂの前後両端部は回転板２４，２５に接合されている。
【００２８】
各回転板２４，２５は、夫々、円の左部の縦向きＤ形部と円の下部の横向きＤ形部とを一体化したＬ形に形成されている。各回転板２４，２５は複数枚の薄鋼板を複数のボルト２７により積層して構成され、前後１対の回転板２４，２５は、Ｌ形板２６と、チャンネル材２６ａ，２６ｂと、前後方向に延びる複数のタイロッド２８とで連結されている。タイロッド２８の前後両端部には回転板２４，２５の外側でナット２８ａが螺合されている。
【００２９】
次に、回転駆動手段３０について説明する。
回転駆動手段３０は、ラック形成体３１（図３参照）と、このラック形成体３１の複数のピン３２のうちの一部のピン３２に係合したスプロケット３３と、このスプロケット３３を回転駆動可能な減速機付き電動モータ３４（回転駆動部）とを有する。前記ラック形成体３１は、回転板２４，２５の間の後部寄りの前後方向途中部に配設され且つ回転体２０に連結されている。ラック形成体３１は、回転体２０のＬ形板２６及び複数のタイロッド２８に固着されている。尚、電動モータ３４は制御駆動部（図示略）に接続されている。
【００３０】
ラック形成体３１は、１対のピン保持板３１ａと、これらピン保持板３１ａの外周近傍部に周方向に所定小間隔おきに固定され且つ１対のピン保持板３１ａに両端部が連結された複数のピン３２とで構成されている。
【００３１】
ピン保持板３１ａは、回転板２４，２５よりも少し小径の且つ回転板２４，２５とほぼ同形状の部材であり、１対のピン保持板３１ａは、所定の小間隔空けて対向させて前記複数のピン３２にて一体的に連結されている。この回転駆動手段３０により、図１の状態の回転体２０を反時計回り方向へ約９０°回転駆動させたり、その回転後に原位置へ復帰回転させたりすることが可能に構成されている。尚、左端箱状部１７ａの上面にはスプロケット３３と減速機付き電動モータ３４の一部を上方から覆う傾斜板８が固定されている。
【００３２】
次に、カバー部材４０について説明する。
前記カバー部材４０は、薄鋼板で部分円筒状に構成され、前記２面の金型載置面２１ａ，２１ｂの背面側において回転体２０の外周面近傍部を覆うようにを設けられている。
各回転板２４，２５においては、その外周近傍部に複数枚の積層された薄鋼板を締結する複数のボルト２５が付設されている。
【００３３】
図１、図６に示すように、カバー部材４０は、複数のボルト２７より僅かに内径側の部位に対応する半径方向位置に配設されている。カバー部材４０には、回転駆動手段３０のスプロケット３３を通過させる為の円弧状のスリット４０ｓが形成されている。カバー部材４０は、スリット４０ｓと回転板２４の間において回転体２０の外周面近傍部を覆う第１カバー部材４０ａと、スリット４０ｓと回転板２５のの間において回転体２０の外周面近傍部を覆う第２カバー部材４０ｂとで構成されている。つまり、カバー部材４０は、ラック形成体３１に対応するスリット４０ｓにより第１カバー部材４０ａと第２カバー部材４０ｂに分断されている。
【００３４】
図６に示すように、第１カバー部材４０ａの後端部の内側と、前後方向中間部の内側には、ラック形成体３１とほぼ同形状のカバー取付板４１，４２であって回転軸心Ｘと直交状のカバー取付板４１，４２が配設されて回転体２０に固定されている。
【００３５】
第１カバー部材４０ａの前端部は、周方向に適当間隔おきに配置したＬ形片４４を介して回転板２４に固着されている。尚、Ｌ形片４４の一端部は回転板２４に接合され、Ｌ形片４４の他端部はビスにより第１カバー部材４０ａの内面に固定されている。
第１カバー部材４０ａの後端部は、周方向に適当間隔おきに配置したＬ形片４５を介してカバー取付板４１に固着されている。尚、Ｌ形片４５の一端部はカバー取付板４１に接合され、Ｌ形片４５の他端部はビスで第１カバー部材４０ａの内面に固定されている。
なお、カバー取付板４１，４２が第１，第２カバー取付板である。
【００３６】
第１カバー部材４０ａの前後方向途中部（中間部）は、周方向に適当間隔おきに配置したＬ形片４６を介してカバー取付板４２に固着されている。尚、Ｌ形片４６の一端部はカバー取付板４２に接合され、Ｌ形片４６の他端部はビスで第１カバー部材４０ａの内面に固定されている。第２カバー部材４０ｂの後端部は、周方向に適当間隔おきに配置したＬ形片４７を介して回転板２５に固着されている。尚、Ｌ形片４７の一端部は回転板２５に接合され、Ｌ形片４７の他端部はビスで第２カバー部材４０ｂの内面に固定されている。
【００３７】
第２カバー部材４０ｂの前端部は、周方向に適当間隔おきに配置したＬ形片４８を介してカバー取付板４３に固着されている。尚、Ｌ形片４８の一端部はカバー取付板４３に接合され、Ｌ形片４８の他端部はビスで第２カバー部材４０ｂの内面に固定されている。
カバー取付板４１はラック形成体３１の前側近傍に位置し、カバー取付板４３はラック形成体３１の後側近傍に位置し、カバー取付板４１，４３の間にスリット４０ｓが形成されている。  
【００３８】
次に、以上説明した金型反転装置１の作用（動作）、効果について説明する。
図１のように、金型載置面２１ａに金型Ｍを載置し、金型Ｍの左端を金型載置面２１ｂに当接させた状態において、回転体２０を反時計回り方向へ９０°回転させると、金型載置面２１ｂが水平姿勢になり、その金型載置面２１ｂに９０°反転された金型Ｍが載置された状態になる。こうして、金型Ｍを９０°反転することができる。尚、９０°反転を２回繰り返すことで、１８０°反転が可能である。
【００３９】
前記のように、回転体２０の外周面近傍部を覆う部分円筒状のカバー部材４０を設けたため、作業者の手や足がカバー部材４０に仮に接触したとしても、回転体２０の内部側へ巻き込まれる虞がないから怪我をすることもなく、回転体２０の周辺における安全性が格段に向上した。しかも、部分円筒状のカバー部材４０は構造も簡単で安価に製作できるうえ、設置スペースも殆ど必要としないため、金型反転装置１が大型化する虞もない。
【００４０】
しかも、カバー部材４０により、回転体２０の内部構造が覆われ外部に露出しなくなるため、回転体２０の外観も著しく向上する。
また、第１カバー部材４０ａを回転板２４とカバー取付板４１，４２を介して回転体２０に支持する構造にしたため、第１カバー部材４０ａの形状を維持しながら剛性を確保し、外部から物体が衝突しても第１カバー部材４０ａの形状を維持することができる。
【００４１】
同様に、第２カバー部材４０ｂを回転板２５とカバー取付板４３を介して回転体２０に支持する構造にしたため、第２カバー部材４０ｂの形状を維持しながら剛性を確保し、外部から物体が衝突しても第２カバー部材４０ｂの形状を維持することができる。
【実施例２】
【００４２】
実施例２に係る金型反転装置１Ａは、大型の金型を反転するのに適した装置であり、以下のこの金型反転装置１Ａについて図７〜図１０に基づいて説明する。
但し、実施例１と同様の部材に同一符号をつけて図示しその説明は省略し、実施例１と異なる構成について説明する。
【００４３】
この金型反転装置１Ａの回転体２０Ａの前部と後部にスリット４０ｓ及びラック形成体３１が設けられ、それらラック形成体３１を駆動する１対のスプロケット３３が設けられ、これら１対のスプロケット３３を回転駆動する１組の回転駆動部３４Ａが設けられている。回転駆動手段３０Ａが、１対のラック形成体３１と、１対のスプロケット３３と、１組の回転駆動部３４Ａとを備えている。
前記スリット４０ｓ及びラック形成体３１は、実施例１のものと同様に構成されている。１対のスプロケット３３を支持するスプロケット支持軸３５の前後両端部は、前面板１２と後面板１３に回転自在に支持されている。
【００４４】
図８、図１０に示すように、上記の回転駆動部３４Ａは、１対のスプロケット３３の間においてスプロケット支持軸３５に装着された中間スプロケット３６と、左端箱状部１７ａ内に装備された減速機付きモータ３７と、この減速機付きモータ３７の出力軸の先端に固定された駆動側スプロケット３８と、駆動側スプロケット３８と中間スプロケット３６とに巻回された無端チェーン３９とを有する。尚、傾斜板８Ａは、前後のスプロケット３３を覆うように前後に広幅に形成されている。
【００４５】
次に、２面の金型載置面２１ａ，２１ｂの背面側において回転体２０Ａの外周面近傍部を覆う部分円筒状のカバー部材４０Ａについて説明する。
カバー部材４０Ａは、前後のスリット４０ｓにより３つのカバー部材４０ｃ，４０ｄ，４０ｅに分断されている。それ故、カバー部材４０Ａは、前部のスリット４０ｓと回転板２４の間において回転体２０Ａの外周面近傍部を覆う前部カバー部材４０ｃ（第１カバー部材）と、前後のスリット４０ｓの間において回転体２０Ａの外周面近傍部を覆う中央部カバー部材４０ｄ（第２カバー部材）と、後部のスリット４０ｓと回転板２５の間において回転体２０Ａの外周面近傍部を覆う後部カバー部材４０ｅ（第３カバー部材）とを有する。
【００４６】
前側のスリット４０ｓの前側近傍にカバー取付板５１が配設されて回転体２０Ａに固定されている。前記カバー部材４０ｃの前端部は周方向適当間隔おきに配置したＬ形片５５により回転板２４に固定されている。Ｌ形片５５の一端部は回転板２４に接合され、Ｌ形片５５の他端部は前部カバー部材４０ｃの内面にビスにて固定されている。
【００４７】
前部カバー部材４０ｃの後端部は周方向適当間隔おきに配置したＬ形片５６によりカバー取付板５１に固定されている。Ｌ形片５６の一端部はカバー取付板５１に接合され、Ｌ形片５６の他端部は前部カバー部材４０ｃの内面にビスにて固定されている。
【００４８】
前側のスリット４０ｓの後側近傍にカバー取付板５２が配設されて回転体２０Ａに固定され、後側のスリット４０ｓの前側近傍にカバー取付板５３が配設されて回転体２０Ａに固定されている。中央部カバー部材４０ｄの前端部は、周方向適当間隔おきに配置したＬ形片５７によりカバー取付板５２に固定されている。Ｌ形片５７の一端部はカバー取付板５２に接合され、Ｌ形片５７の他端部は中央部カバー部材４０ｄの前端部の内面にビスにて固定されている。
【００４９】
中央部カバー部材４０ｄの後端部は、周方向適当間隔おきに配置したＬ形片５８によりカバー取付板５３に固定されている。Ｌ形片５８の一端部はカバー取付板５３に接合され、Ｌ形片５８の他端部は中央部カバー部材４０ｄの後端部の内面にビスにて固定されている。
【００５０】
後側のスリット４０ｓの後側近傍にカバー取付板５４が配設されて回転体２０Ａに固定されている。後部カバー部材４０ｅの後端部は周方向適当間隔おきに配置したＬ形片５９により回転板２５に固定されている。Ｌ形片５９の一端部は回転板２５に接合され、Ｌ形片５９の他端部は後部カバー部材４０ｅの内面にビスにて固定されている。
後部カバー部材４０ｅの前端部は周方向適当間隔おきに配置したＬ形片６０によりカバー取付板５４に固定されている。Ｌ形片６０の一端部はカバー取付板５４に接合され、Ｌ形片６０の他端部は後部カバー部材４０ｅの内面にビスにて固定されている。
【００５１】
尚、１対のカバー取付板５１，５２でもって前側のスリット４０ｓが形成され、１対のカバー取付板５３，５４でもって後側のスリット４０ｓが形成されている。
尚、カバー取付板５１〜５４が第１〜第４カバー取付板５１〜５４である。
【００５２】
この金型反転装置１Ａの作用、効果は実施例１の金型反転装置１の作用、効果とほぼ同様である。但し、回転体２０Ａに２つのラック形成体３１と１対のスプロケット３８を設け、それらラック形成体３１とスプロケット３８を回転駆動部３４Ａにより回転駆動するように構成したため、回転駆動力が強化され、大型の金型を反転することができる。
【００５３】
次に、前記実施形態を変更する変更例について説明する。
１）図６における第１，第３カバー取付板４１，４３を省略し、第１カバー部材４０ａの後端部をラック形成体３１の前側のピン保持板３１ａに固定し、第２カバー部材４０ｂの前端部をラック形成体３１の後側のピン保持板３１ａに固定してもよい。
同様に、回転反転装置１Ａにおいても、第１カバー部材４０ｃの後端部、第２カバー部材４０ｄの前後両端部、第３カバー部材ｅの前端部を夫々対応するピン保持板３１ａに固定してもよい。
【００５４】
２）回転駆動手段のラック形成体の複数のピンの代わりにラック形成体の周面にチェーンを固定し、そのチェーンに係合するスプロケットを回転駆動するように構成してもよ。
【００５５】
３）回転体２０，２０Ａにおいて、ラック形成体３１に代えて、回転板２４の後側近傍部と回転板２５の前側近傍部に、回転板２４，２５よりも少し小径のラック形成体と同構造のラック形成体を一体的に構成し、その一体型のラック形成体をスプロケットを介して回転駆動するように構成してもよい。この構造にすると、ラック形成体３１の部材数を節減することができる。
【００５６】
４）回転板２４，２５を複数の鋼板でなく、１枚の鋼板で構成してもよい。
【００５７】
５）その他当業者であれば、本発明の趣旨を逸脱することなく前記実施形態に種々の変更を付加した形態で実施可能で、本発明はそのような変更形態をも包含するものである。
【符号の説明】
【００５８】
１，１Ａ    金型反転装置
１０    基台構造
１８    回転体支持部
１８ａ  遊転ローラ
２０，２０Ａ      回転体
２１ａ，２１ｂ    金型載置面
２２    被支持部
２４，２５    回転板
３０，３０Ａ    回転駆動手段
３１    ラック形成体
３１ａ  ピン保持板
３３    スプロケット
３４，３４Ａ    回転駆動部
３８    スプロケット
４０，４０Ａ    カバー部材
４０ａ，４０ｂ    第１，第２カバー部材
４１，４２，４３  第１〜第３カバー取付板
４０ｃ，４０ｄ，４０ｅ  第１〜第３カバー部材
５１，５２，５３，５４  第１〜第４カバー取付板
【図１】
2019043703.tif 000003
【図２】
2019043703.tif 000004
【図３】
2019043703.tif 000005
【図４】
2019043703.tif 000006
【図５】
2019043703.tif 000007
【図６】
2019043703.tif 000008
【図７】
2019043703.tif 000009
【図８】
2019043703.tif 000010
【図９】
2019043703.tif 000011
【図１０】
2019043703.tif 000012
【図１１】
2019043703.tif 000013